(57)【要約】      （修正有）【課題】中国語ユーザが文字を入力する際に、入力されたコーディング文字列の変換後の候補項のみを提供するだけでなくユーザが当該候補項の関連知識を勉強し了解するのに有利な文字や単語を入力する方法、及び入力システムを提供する。【解決手段】ユーザが入力した情報を受信するステップと、入力された情報に基づきシソーラスにおいて検索を行って、入力された情報に対応する候補項を取得するステップと、候補項を表示し、且つ、現在選択された候補項の関連情報を表示するステップと、を含む。【効果】候補項を表示するとき、現在選択された候補項の関連情報をさらに表示するため、提供される候補項の情報がより豊かであり、ユーザが候補項の関連知識を勉強し了解するのに便利である。【選択図】図１
2018198043.tif 000002
【特許請求の範囲】
【請求項１】
ユーザが入力した情報を受信するステップと、
入力された前記情報に基づきシソーラスにおいて検索を行って、入力された前記情報に対応する候補項を取得するステップと、
前記候補項を表示し、且つ、現在選択された候補項の関連情報を表示するステップと、を含む
ことを特徴とする文字や単語を入力する方法。
【請求項２】
現在選択された候補項の関連情報を表示する前記ステップは、
現在選択された候補項の解釈を表示するステップを含む
ことを特徴とする請求項１に記載の文字や単語を入力する方法。
【請求項３】
現在選択された候補項の解釈を表示する前記ステップは、
前記現在選択された候補項の下方に解釈を表記するステップを含む
ことを特徴とする請求項２に記載の文字や単語を入力する方法。
【請求項４】
現在選択された候補項の関連情報を表示する前記ステップは、
前記現在選択された候補項の筆順画面を表示するステップを含む
ことを特徴とする請求項１または２に記載の文字や単語を入力する方法。
【請求項５】
前記現在選択された候補項の筆順画面を表示する前記ステップは、
前記現在選択された候補項の静的筆順画面を表示するステップ、及び／または
前記現在選択された候補項の動的筆順画面を表示するステップを含む
ことを特徴とする請求項４に記載の文字や単語を入力する方法。
【請求項６】
現在選択された候補項の関連情報を表示する前記ステップは、
前記現在選択された候補項の発音表記を表示するステップと、
前記現在選択された候補項を拡大表示するステップと、
前記現在選択された候補項を音声で表示するステップと、
前記現在選択された候補項に対応する所定の単語組み合わせを表示するステップのうちの少なくとも一つをさらに含む
ことを特徴とする請求項１乃至５のいずれか一項に記載の文字や単語を入力する方法。
【請求項７】
前記現在選択された候補項の発音表記を表示する前記ステップは、
前記現在選択された候補項の上方に発音表記を表示するステップを含む
ことを特徴とする請求項６に記載の文字や単語を入力する方法。
【請求項８】
前記現在選択された候補項の上方に発音表記を表示するステップは、
前記現在選択された候補項の上方に声調を含む発音表記を表示するステップを含む
ことを特徴とする請求項７に記載の文字や単語を入力する方法。
【請求項９】
前記現在選択された候補項を拡大表示する前記ステップは、
米字型の格子に前記現在選択された候補項を表示するステップを含む
ことを特徴とする請求項６に記載の文字や単語を入力する方法。
【請求項１０】
前記現在選択された候補項を音声で表示する前記ステップは、
音声オプション項を表示するステップと、
前記音声オプション項に対するユーザの選択操作の受信に応答して、前記現在選択された候補項を音声で表示するステップと、を含む
ことを特徴とする請求項６に記載の文字や単語を入力する方法。
【請求項１１】
前記現在選択された候補項に対応する所定の単語組み合わせを表示する前記ステップは、
前記現在選択された候補項の下方に前記所定の単語組み合わせを表記するステップを含む
ことを特徴とする請求項６に記載の文字や単語を入力する方法。
【請求項１２】
情報と候補項の対応関係を記憶するためのシソーラスと、
ユーザが入力した情報を受信するための情報受信ユニットと、
入力された前記情報に基づきシソーラスにおいて検索を行って、入力された前記情報に対応する候補項を取得するための候補項取得ユニットと、
前記候補項を表示し、且つ、現在選択された候補項の関連情報を表示するための関連情報表示ユニットと、を含む
ことを特徴とする入力システム。
【請求項１３】
前記関連情報表示ユニットは、
現在選択された候補項の解釈を表示するための解釈表示ユニットを含む
ことを特徴とする請求項１２に記載の入力システム。
【請求項１４】
前記解釈表示ユニットは、さらに、前記現在選択された候補項の下方に解釈を表記するために用いられる
ことを特徴とする請求項１３に記載の入力システム。
【請求項１５】
前記関連情報表示ユニットは、
前記現在選択された候補項の筆順画面を表示するための筆順表示ユニットをさらに含む
ことを特徴とする請求項１２または１３に記載の入力システム。
【請求項１６】
前記筆順表示ユニットは、さらに、
前記現在選択された候補項の静的筆順画面を表示するか、及び／または
前記現在選択された候補項の動的筆順画面を表示するために用いられる
ことを特徴とする請求項１５に記載の入力システム。
【請求項１７】
前記関連情報表示ユニットは、
前記現在選択された候補項の発音表記を表示するための発音表記表示ユニットと、
前記現在選択された候補項を拡大表示するための拡大表示ユニットと、
前記現在選択された候補項を音声で表示するための音声表示ユニットと、
前記現在選択された候補項に対応する所定の単語組み合わせを表示するための単語組み合わせ表示ユニットのうちの少なくとも一つをさらに含む
ことを特徴とする請求項１２乃至１６のいずれか一項に記載の入力システム。
【請求項１８】
前記発音表記表示ユニットは、さらに、前記現在選択された候補項の上方に発音表記を表示するために用いられる
ことを特徴とする請求項１７に記載の入力システム。
【請求項１９】
前記発音表記表示ユニットは、さらに、前記現在選択された候補項の上方に声調を含む発音表記を表示するために用いられる
ことを特徴とする請求項１８に記載の入力システム。
【請求項２０】
前記拡大表示ユニットは、さらに、米字型の格子に前記現在選択された候補項を表示するために用いられる
ことを特徴とする請求項１７に記載の入力システム。
【請求項２１】
前記音声表示ユニットは、さらに、
音声オプション項を表示し、
前記音声オプション項に対するユーザの選択操作の受信に応答して、前記現在選択された候補項を音声で表示するために用いられる
ことを特徴とする請求項１７に記載の入力システム。
【請求項２２】
前記単語組み合わせ表示ユニットは、さらに、前記現在選択された候補項の下方に前記所定の単語組み合わせを表記するために用いられる
ことを特徴とする請求項１７に記載の入力システム。
【請求項２３】
一つまたは複数のプロセッサと、
一つまたは複数のプログラムを記憶するための記憶装置と、を含み、
前記一つまたは複数のプログラムが前記一つまたは複数のプロセッサにより実行される場合、前記一つまたは複数のプロセッサが請求項１乃至１１のいずれか一項に記載の文字や単語を入力する方法を実現するようにする
ことを特徴とする機器。
【請求項２４】
コンピュータプログラムが記憶されているコンピュータ読取り可能な記憶媒体において、
当該プログラムがプロセッサにより実行される場合、請求項１乃至１１のいずれか一項に記載の文字や単語を入力する方法を実現する
ことを特徴とするコンピュータ読取り可能な記憶媒体。
【発明の詳細な説明】
【技術分野】
【０００１】
本出願は、コンピュータ技術分野に関するものであり、具体的には、コンピュータネットワーク技術分野に関するものであり、特に、文字や単語を入力する方法、および入力システムに関するものである。
【背景技術】
【０００２】
中国語ユーザにとって、字を入力するとき、入力システムプログラムを通じて、コンピュータとインタラクションする必要があり、ユーザがキーボードを用いてコーディング文字列を入力した後、入力システムプログラムにより予め設定された標準マッピングルールに基づいてそれを該当する字の候補項に変換し、さらにユーザによって必要な情報を確認、及び入力する。
【０００３】
しかしながら、現在の入力システムにおいてはただ入力されたコーディング文字列の変換後の候補項のみを提供するだけであり、提供する情報が比較的少なく、ユーザが当該候補項の関連知識を勉強し了解するのに不利である。
【発明の概要】
【発明が解決しようとする課題】
【０００４】
本出願は、上記背景技術部分において提出された技術的問題を解決するための文字や単語を入力する改善された方法、及び入力システムを提出することを目的とする。
【課題を解決するための手段】
【０００５】
第１の面において、本出願の実施例は、文字や単語を入力する方法を提供し、方法は、ユーザが入力した情報を受信するステップと、入力された情報に基づきシソーラスにおいて検索を行って、入力された情報に対応する候補項を取得するステップと、候補項を表示し、且つ、現在選択された候補項の関連情報を表示するステップと、を含む。
【０００６】
一部の実施例において、現在選択された候補項の関連情報を表示するステップは、現在選択された候補項の解釈を表示するステップを含む。
【０００７】
一部の実施例において、現在選択された候補項の解釈を表示するステップは、現在選択された候補項の下方に解釈を表記するステップを含む。
【０００８】
一部の実施例において、現在選択された候補項の関連情報を表示するステップは、現在選択された候補項の筆順画面を表示するステップをさらに含む。
【０００９】
一部の実施例において、現在選択された候補項の筆順画面を表示するステップは、現在選択された候補項の静的筆順画面を表示するステップ、及び／または現在選択された候補項の動的筆順画面を表示するステップを含む。
【００１０】
一部の実施例において、現在選択された候補項の関連情報を表示するステップは、現在選択された候補項の発音表記を表示するステップと、現在選択された候補項を拡大表示するステップと、現在選択された候補項を音声で表示するステップと、現在選択された候補項に対応する所定の単語組み合わせを表示するステップのうちの少なくとも一つをさらに含む。
【００１１】
一部の実施例において、現在選択された候補項の発音表記を表示するステップは、現在選択された候補項の上方に発音表記を表示するステップを含む。
【００１２】
一部の実施例において、現在選択された候補項の上方に発音表記を表示するステップは、現在選択された候補項の上方に声調を含む発音表記を表示するステップを含む。
【００１３】
一部の実施例において、現在選択された候補項を拡大表示するステップは、米字型の格子に現在選択された候補項を表示するステップを含む。
【００１４】
一部の実施例において、現在選択された候補項を音声で表示するステップは、音声オプション項を表示するステップと、音声オプション項に対するユーザの選択操作の受信に応答して、現在選択された候補項を音声で表示するステップと、を含む。
【００１５】
一部の実施例において、現在選択された候補項に対応する所定の単語組み合わせを表示するステップは、現在選択された候補項の下方に所定の単語組み合わせを表記するステップを含む。
【００１６】
第２の面において、本出願の実施例は、入力システムを提供し、入力システムは、情報と候補項の対応関係を記憶するためのシソーラスと、ユーザが入力した情報を受信するための情報受信ユニットと、入力された情報に基づきシソーラスにおいて検索を行って、入力された情報に対応する候補項を取得するための候補項取得ユニットと、候補項を表示し、且つ、現在選択された候補項の関連情報を表示するための関連情報表示ユニットと、を含む。
【００１７】
一部の実施例において、関連情報表示ユニットは、現在選択された候補項の解釈を表示するための解釈表示ユニットを含む。
【００１８】
一部の実施例において、解釈表示ユニットは、さらに、現在選択された候補項の下方に解釈を表記するために用いられる。
【００１９】
一部の実施例において、関連情報表示ユニットは、現在選択された候補項の筆順画面を表示するための筆順表示ユニットをさらに含む。
【００２０】
一部の実施例において、筆順表示ユニットは、さらに、現在選択された候補項の静的筆順画面を表示するか、及び／または現在選択された候補項の動的筆順画面を表示するために用いられる。
【００２１】
一部の実施例において、関連情報表示ユニットは、現在選択された候補項の発音表記を表示するための発音表記表示ユニットと、現在選択された候補項を拡大表示するための拡大表示ユニットと、現在選択された候補項を音声で表示するための音声表示ユニットと、現在選択された候補項に対応する所定の単語組み合わせを表示するための単語組み合わせ表示ユニットのうちの少なくとも一つをさらに含む。
【００２２】
一部の実施例において、発音表記表示ユニットは、さらに、現在選択された候補項の上方に発音表記を表示するために用いられる。
【００２３】
一部の実施例において、発音表記表示ユニットは、さらに、現在選択された候補項の上方に声調を含む発音表記を表示するために用いられる。
【００２４】
一部の実施例において、拡大表示ユニットは、さらに、米字型の格子に現在選択された候補項を表示するために用いられる。
【００２５】
一部の実施例において、音声表示ユニットは、さらに、音声オプション項を表示し、音声オプション項に対するユーザの選択操作の受信に応答して、現在選択された候補項を音声で表示するために用いられる。
【００２６】
一部の実施例において、単語組み合わせ表示ユニットは、さらに、現在選択された候補項の下方に所定の単語組み合わせを表記するために用いられる。
【００２７】
第３の面において、本出願の実施例は、機器を提供し、一つまたは複数のプロセッサと、一つまたは複数のプログラムを記憶するための記憶装置と、を含み、一つまたは複数のプログラムが一つまたは複数のプロセッサにより実行される場合、一つまたは複数のプロセッサが上記のいずれか一項に記載の文字や単語を入力する方法を実現するようにする。
【００２８】
第４の面において、本出願の実施例は、コンピュータ読取り可能な記憶媒体を提供し、それには、コンピュータプログラムが記憶されており、当該プログラムがプロセッサにより実行される場合、上記のいずれか一項に記載の文字や単語を入力する方法を実現する。
【発明の効果】
【００２９】
本出願の実施例に係る文字や単語を入力する方法、及び入力システムは、まず、ユーザが入力した情報を受信し、その後、入力された情報に基づきシソーラスにおいて検索を行って、入力された情報に対応する候補項を取得し、最後に、候補項を表示し、且つ、現在選択された候補項の関連情報を表示する。本実施例に係る文字や単語を入力する方法、及び入力システムは、候補項を表示するとき、現在選択された候補項の関連情報をさらに表示するため、提供される候補項の情報がより豊かであり、ユーザが候補項の関連知識を勉強し了解するのに便利である。
【図面の簡単な説明】
【００３０】
下記の図面を参照して行われた、非限定性実施例に対する詳しい記述を閲読することによって、本出願の他の特徴、目的、および利点をさらに明らかにする。
【図１】本出願による文字や単語を入力する方法の一つの実施例の模式的フローチャートである。
【図２】本出願による文字や単語を入力する方法の別の一つの実施例の模式的フローチャートである。
【図３】本出願の実施例による文字や単語を入力する方法の一つの応用場面のインタラクションインタフェースの模式図である。
【図４】本出願による入力システムの一つの実施例の例示的な構成図である。
【図５】本出願の実施例を実現するのに適する端末機器またはサーバのコンピュータシステムの構成模式図である。
【発明を実施するための形態】
【００３１】
下記に図面と実施例を組み合わせて、本出願に対してさらに詳しく説明する。理解できることは、ここで記述する具体的な実施例は、ただ関連発明を解釈するためのものであり、当該発明を限定するものではない。なお、説明すべきなことは、記述の便宜性のために、図面においてただ該当する発明と関連する部分のみを図示する。
【００３２】
説明すべきなことは、矛盾しない状況で、本出願の実施例、および実施例における特徴は、互いに組み合わせることができる。下記に、図面を参照し、実施例と組み合わせて本出願を詳しく説明する。
【００３３】
図１は、本出願による文字や単語を入力する方法の一つの実施例の流れ１００を示す。当該文字や単語を入力する方法は、下記のステップを含む。
【００３４】
ステップ１１０において、ユーザが入力した情報を受信する。
【００３５】
本実施例において、ユーザが入力した情報は、すなわちユーザが入力システムのインタラクションインタフェースにおいて入力した文字から構成される情報である。例えば、ユーザが文字ｍ、ａを入力した場合、ｍとａに対応する情報ｍａを得ることができる。ここでの入力システムとは、中国語の入力システムである。
【００３６】
ステップ１２０において、入力された情報に基づきシソーラスにおいて検索を行って、入力された情報に対応する候補項を取得する。
【００３７】
本実施例において、シソーラスは、情報と候補項の対応関係を記憶するためのデータベースである。ユーザから入力された文字から構成される情報に基づいて、シソーラスにおいて当該情報に対応する候補項を検索することができる。例えば、情報ｍａについて、入力システムは、シソーラスにおいて候補項
2018198043.tif 000003
などを検索することができる。
【００３８】
ステップ１３０において、候補項を表示し、且つ、現在選択された候補項の関連情報を表示する。
【００３９】
本実施例において、入力システムのインタラクションインタフェースのサイズが制限されているため、候補項は、スクリーン分割の方法で入力システムのインタラクションインタフェースに表示されることができ、第１のスクリーンは、所定の数の候補項のみを表示する。例えば、情報ｍａの候補項について、第１のスクリーンに
2018198043.tif 000004
この五つのオプション項を表示することができる。
【００４０】
候補項を表示するとき、現在選択された候補項の関連情報をさらに表示してもよく、例えば、品詞、意味、マーク語（ｍａｒｋ  ｗｏｒｄｓ）、音声、筆順、発音表記などの情報のうちの一つまたは複数の項を表示してもよい。
【００４１】
本出願の上記実施例に係る文字や単語を入力する方法は、候補項を表示するとき、現在選択された候補項の関連情報をさらに表示して、ユーザに提供する候補項の情報をより豊かにし、ユーザが現在選択された候補項に関連する知識を勉強し了解するのに有利である。
【００４２】
図２を参照すると、図２は、本出願による文字や単語を入力する方法の別の一つの実施例の模式的フローチャートを示す。
【００４３】
図２に示されたように、当該文字や単語を入力する方法２００は、下記のステップを含む。
【００４４】
ステップ２１０において、ユーザが入力した情報を受信する。
【００４５】
ステップ２２０において、入力された情報に基づきシソーラスにおいて検索を行って、入力された情報に対応する候補項を取得する。
【００４６】
理解すべきなことは、本実施例におけるステップ２１０〜ステップ２２０が、図１において記述されたステップ１１０〜１２０に対応するため、図１においてステップ１１０〜１２０について記述した操作、及び特徴も同様にステップ２１０〜ステップ２２０に適用され、ここで記述を繰り返さない。
【００４７】
ステップ２３０において、候補項を表示し、且つ、現在選択された候補項の解釈を表示する。
【００４８】
本実施例において、候補項を表示するとき、現在選択された候補項の解釈をさらに表示してもよい。ここで、解釈とは、候補項の意味を解釈することである。現在選択された候補項は、現在表示された候補項のうち配列順番によって選択された候補項、またはユーザにより選択された候補項を含んでもよい。例えば、現在表示された候補項のうち配列順番によって選択されたディフォルトの候補項が第１の候補項
2018198043.tif 000005
である場合、現在のスクリーンに
2018198043.tif 000006
の解釈を表示する。さらに、このとき、ユーザが現在表示された候補項のうちの「麻」を選択すると、現在のスクリーンに「麻」の解釈を表示する。ここで、解釈を表示する位置は、入力システムのインタラクションインタフェースに予め設定された解釈位置であってもよい。例えば、解釈位置は、現在選択された候補項の上、下、左、右または候補項の周りなどに位置してもよい。表示する方式は、従来技術または未来に発展される技術における表示方式であってもよく、例えば、現在選択された候補項の解釈を、現在選択された候補項の下方に直接表示するか、またはポップアップウィンドウで表示することができる。ここで、解釈は、現在選択された候補項の完全な解釈であってもよく、現在選択された候補項の完全な解釈のリンクであってもよく、現在選択された候補項の部分解釈、及び完全な解釈のリンクであってもよい。
【００４９】
本実施例の一部の選択可能な実現方式において、現在選択された候補項の解釈を表示することは、現在選択された候補項の下方に解釈を表記することを含む。
【００５０】
本実現方式において、一般的に上から下に閲読するユーザの閲読習慣を考慮して、現在選択された候補項の解釈を現在選択された候補項の下方に表記して、ユーザの閲読効率を向上させることができる。
【００５１】
ステップ２４０において、現在選択された候補項の筆順画面を表示する。
【００５２】
本実施例において、筆順画面とは、中国語漢字の筆画順番を表示するイメージである。例えば、現在選択された候補項が「麻」である場合、「麻」の筆画順番を表示することができる。筆順画面を表示する位置は、入力システムのインタラクションインタフェースに予め設定された筆順位置であってもよく、例えば、筆順位置は、現在選択された候補項の上、下、左、右などに位置してもよい。表示する方式は、従来技術または未来に発展される技術における表示方式であってもよく、例えば、現在選択された候補項の筆順を、現在選択された候補項の下方に直接表示するか、またはポップアップウィンドウで表示することができる。
【００５３】
本実施例の一部の選択可能な実現方式において、現在選択された候補項の筆順画面を表示することは、現在選択された候補項の静的筆順画面を表示することと、現在選択された候補項の動的筆順画面を選択的または追加的に表示することと、を含む。
【００５４】
本実現方式において、現在選択された候補項の筆画順番を表記した静的画面を表示してもよく、現在選択された候補項の書き順番の動的画面を表示してもよく、静的筆順画面と動的筆順画面を同時に表示してもよい。静的筆順画面または動的筆順画面を表示することによって、ユーザが中国語漢字の筆画順番をよりよく理解するように助けることができ、ユーザが中国語漢字の書きを勉強するのに便利である。
【００５５】
ステップ２５０において、現在選択された候補項の発音表記を表示する。
【００５６】
本実施例において、発音表記は、ユーザに発音を指示する表記であり、例えばピン音などである。発音表記の位置は、入力システムのインタラクションインタフェースに予め設定された発音表記位置に位置してもよく、例えば、発音表記位置は、現在選択された候補項の上、下、左、右などに位置してもよい。表示する方式は、従来技術または未来に発展される技術における表示方式であってもよく、例えば、現在選択された候補項の上方に発音表記を直接表示してもよい。
【００５７】
本実施例の一部の選択可能な実現方式において、現在選択された候補項の発音表記を表示することは、現在選択された候補項の上方に発音表記を表示することを含む。
【００５８】
本実現方式において、現在選択された候補項の上方に発音表記を表示して、ユーザが発音と現在選択された候補項を対応させて、現在選択された候補項の発音を勉強するようにすることができる。
【００５９】
本実施例の一部の選択可能な実現方式において、現在選択された候補項の上方に発音表記を表示することは、現在選択された候補項の上方に声調を含む発音表記を表示することを含む。
【００６０】
本実現方式において、同じ発音の中国語漢字について、声調が異なる場合、対応する中国語漢字も異なる可能性があるため、発音に声調を含ませて、中国語漢字の発音を細分化することによって、中国語漢字に正確に対応させる必要がある。現在選択された候補項の上方に声調を含む発音表記を表示することによって、ユーザが中国語漢字の発音をより正確に勉強し了解するようにすることができる。
【００６１】
ステップ２６０において、現在選択された候補項を拡大表示する。
【００６２】
本実施例において、拡大表示とは、他の候補項のサイズより大きく表示することである。拡大表示する位置は、入力システムのインタラクションインタフェースにおいて、現在選択された候補項を表示する位置に位置するか、または他の予め設定された拡大表示位置に位置してもよい。例えば、現在選択された候補項の上、下、左、右などに位置してもよい。表示する方式は、従来技術または未来に発展される技術における表示方式であってもよく、例えば、ポップアップウィンドウ方式で、現在選択された候補項を拡大表示してもよい。
【００６３】
本実施例の一部の選択可能な実現方式において、現在選択された候補項を拡大表示することは、米字型の格子に現在選択された候補項を表示することを含む。
【００６４】
本実現方式において、米字型の格子に現在選択された候補項を表示し、中国語漢字毎の筆画を、異なる位置、及び異なる角度の組み合わせの形で表示して、ユーザが中国語漢字の比例構造を容易に把握するようにすることができる。
【００６５】
ステップ２７０において、現在選択された候補項を音声で表示する。
【００６６】
本実施例において、さらに、現在選択された候補項を音声で表示してもよく、現在選択された候補項を表示するとき、直接に音声で表示してもよく、ユーザ選択インタフェースを提供して、ユーザが音声表示するか否かを確定するようにしてもよい。このとき、ユーザ選択インタフェースの位置は、入力システムのインタラクションインタフェースに予め設定された位置であってもよい。例えば、現在選択された候補項の周りまたはインタラクションインタフェースに予め設定された他の位置であってもよい。
【００６７】
本実施例の一部の選択可能な実現方式において、現在選択された候補項を音声で表示することは、音声オプション項を表示することと、音声オプション項に対するユーザの選択操作の受信に応答して、現在選択された候補項を音声で表示することと、を含む。
【００６８】
本実現方式において、音声オプション項このユーザ選択インタフェースを表示し、音声オプション項に対してユーザが操作したか否かに基づいて音声表示をするか否かを確定することによって、音声表示に対するユーザの制御を強化することができる。
【００６９】
ステップ２８０において、現在選択された候補項に対応する所定の単語組み合わせを表示する。
【００７０】
本実施例において、所定の単語組み合わせは、現在選択された候補項の高頻度単語組み合わせの中から確定することができる。所定の単語組み合わせは、所定の数の高頻度単語組み合わせを含む。所定の単語組み合わせを表示する位置は、入力システムのインタラクションインタフェースに予め設定された単語組み合わせ表示位置に位置してもよい。例えば、単語組み合わせ表示位置は、現在選択された候補項の上、下、左、右などに位置してもよい。表示する方式は、従来技術または未来に発展される技術における表示方式であってもよく、例えば、現在選択された候補項の周りまたはポップアップウィンドウに所定の単語組み合わせを表示してもよい。
【００７１】
本実施例の一部の選択可能な実現方式において、現在選択された候補項に対応する所定の単語組み合わせを表示することは、現在選択された候補項の下方に所定の単語組み合わせを表記することを含む。
【００７２】
本実現方式において、現在選択された候補項の下方に所定の単語組み合わせを表記することによって、ユーザの閲読習慣に符合され、表示される現在選択された候補項の情報量を増加させ、ユーザが現在選択された候補項を勉強し了解するのに有利である。
【００７３】
理解すべきなことは、本実施例に係る現在選択された候補項の情報を表示する操作ステップは、ただ例示的な記述であり、本出願に対する限定を代表しない。例えば、ステップ２３０〜ステップ２８０における各ステップは、そのうちの一項のみを表示してもよく、そのうちの複数の項を同時に表示してもよい。同時に表示される二つの項以上の情報は、重ねて表示されてもよく、それぞれ表示されてもよい。例えば、現在選択された候補項の発音表記を表示するとき、同時に現在選択された候補項を直接に音声で表示してもよい。
【００７４】
本出願の上記実施例に係る文字や単語を入力する方法は、候補項を表示するとき、現在選択された候補項の解釈、筆順画面、発音表記を表示し、現在選択された候補項を拡大表示し、現在選択された候補項を音声で表示し、現在選択された候補項に対応する所定の単語組み合わせを表示することなどによって、ユーザに表示する現在選択された候補項の情報をさらに増加させることができ、ユーザが現在選択された候補項の関連知識を勉強し了解するのに有利である。
【００７５】
下記に、図３と組み合わせて、本出願の実施例の文字や単語を入力する方法の例示的な応用場面を記述する。
【００７６】
図３に示されたように、図３は、本出願の実施例による文字や単語を入力する方法の一つの例示的な応用場面を示す。
【００７７】
図３において、本出願の実施例の文字や単語を入力する方法は、ユーザが入力した情報「ｍａ」を受信した後、情報「ｍａ」に基づきシソーラスにおいて候補項を検索し、その後、インタラクションインタフェースの上部に五つの候補項を表示し、ディフォルトの現在選択された
2018198043.tif 000007
この候補項の上方に
2018198043.tif 000008
の声調を含む発音表記
2018198043.tif 000009
を表示する。
2018198043.tif 000010
この候補項の下方に、米字型の格子に
2018198043.tif 000011
を拡大して表示し、拡大して表示した
2018198043.tif 000012
の画面に同時に筆順を動的に表示する。米字型の格子の下方に拡声器この音声オプション項を表示し、拡声器がユーザにより選択されると、
2018198043.tif 000013
この候補項の発音を音声で表示し、拡声器の下方に
2018198043.tif 000014
この候補項に対応する所定の単語組み合わせ
2018198043.tif 000015
を表示する。所定の単語組み合わせの下方には、
2018198043.tif 000016
の解釈「母親または女性の年長者をとなえ…」を表示する。理解すべきなことは、ここでの解釈は、非完全な解釈であり、ユーザが当該非完全な解釈をクリックすると、当該非完全な解釈のリンク画面にスキップして完全な解釈を閲読することができ、ユーザが完全な解釈画面を閉めると、当該非完全な解釈を含む画面に戻ることができる。
【００７８】
本出願の上記応用場面に係る文字や単語を入力する方法は、文字や単語を入力する方法を対外に提供するとき、ユーザに提供する候補項の情報を豊かにし、ユーザが候補項の関連知識を勉強し了解するのに有利である。
【００７９】
さらに、図４を参照すると、上記方法に対する実現として、本出願の実施例は、入力システムの一つの実施例を提供し、当該文字や単語を入力する方法の実施例は、図１〜図３に示された文字や単語を入力する方法の実施例に対応するため、上記で図１乃至図３における文字や単語を入力する方法について記述した動作と特徴は、同様に入力システム４００、及びその中に含まれるユニットに適用され、ここで記述を繰り返さない。
【００８０】
図４に示されたように、当該入力システム４００は、情報と候補項の対応関係を記憶するためのシソーラス４１０と、ユーザが入力した情報を受信するための情報受信ユニット４２０と、入力された情報に基づきシソーラスにおいて検索を行って、入力された情報に対応する候補項を取得するための候補項取得ユニット４３０と、候補項を表示し、且つ、現在選択された候補項の関連情報を表示するための関連情報表示ユニット４４０と、を含む。
【００８１】
一部の実施例において、関連情報表示ユニット４４０は、現在選択された候補項の解釈を表示するための解釈表示ユニット４４１を含む。
【００８２】
一部の実施例において、解釈表示ユニット４４１は、さらに、現在選択された候補項の下方に解釈を表記するために用いられる。
【００８３】
一部の実施例において、関連情報表示ユニットは、現在選択された候補項の筆順画面を表示するための筆順表示ユニット４４２をさらに含む。
【００８４】
一部の実施例において、筆順表示ユニット４４２は、さらに、現在選択された候補項の静的筆順画面を表示するか、及び／または現在選択された候補項の動的筆順画面を表示するために用いられる。
【００８５】
一部の実施例において、関連情報表示ユニットは、現在選択された候補項の発音表記を表示するための発音表記表示ユニット４４３と、現在選択された候補項を拡大表示するための拡大表示ユニット４４４と、現在選択された候補項を音声で表示するための音声表示ユニット４４５と、現在選択された候補項に対応する所定の単語組み合わせを表示するための単語組み合わせ表示ユニット４４６のうちの少なくとも一つをさらに含む。
【００８６】
一部の実施例において、発音表記表示ユニット４４３は、さらに、現在選択された候補項の上方に発音表記を表示するために用いられる。
【００８７】
一部の実施例において、発音表記表示ユニット４４３は、さらに、現在選択された候補項の上方に声調を含む発音表記を表示するために用いられる。
【００８８】
一部の実施例において、拡大表示ユニット４４４は、さらに、米字型の格子に現在選択された候補項を表示するために用いられる。
【００８９】
一部の実施例において、音声表示ユニット４４５は、さらに、音声オプション項を表示し、音声オプション項に対するユーザの選択操作の受信に応答して、現在選択された候補項を音声表示するために用いられる。
【００９０】
一部の実施例において、単語組み合わせ表示ユニット４４６は、さらに、現在選択された候補項の下方に所定の単語組み合わせを表記するために用いられる。
【００９１】
本出願は、機器の実施例をさらに提供し、一つまたは複数のプロセッサと、一つまたは複数のプログラムを記憶するための記憶装置と、を含み、一つまたは複数のプログラムが一つまたは複数のプロセッサにより実行される場合、一つまたは複数のプロセッサが上記のいずれか一項に記載の文字や単語を入力する方法を実現するようにする。
【００９２】
本出願は、コンピュータ読取り可能な記憶媒体の実施例をさらに提供し、その中には、コンピュータプログラムが記憶されており、当該プログラムがプロセッサにより実行される場合、上記のいずれか一項に記載の文字や単語を入力する方法を実現する。
【００９３】
下記に、図５を参照すると、本出願の実施例を実現するのに適する端末機器またはサーバのコンピュータシステム５００の構成模式図を示す。図５に示された端末機器は、ただ一つの例示であって、本出願の実施例の機能と使用範囲を限定してはいけない。
【００９４】
図５に示されたように、コンピュータシステム５００は、ＲＯＭ５０２に記憶されているプログラム、または記憶部分５０８からＲＡＭ５０３にローディングされたプログラムに基づいて、各種の適切な動作と処理を実行できる中央処理装置（ＣＰＵ）５０１を含む。ＲＡＭ５０３には、システム５００の操作に必要な各種のプログラムとデータがさらに記憶されている。ＣＰＵ５０１、ＲＯＭ５０２、及びＲＡＭ５０３は、バス５０４を介して互いに接続されている。入力／出力（Ｉ／Ｏ）インタフェース５０５もバス５０４に接続される。
【００９５】
キーボード、マウスなどを含む入力部分５０６、例えば陰極線管（ＣＲＴ）、液晶表示装置（ＬＣＤ）など、及びスピーカーなどを含む出力部分５０７、ハードディスクなどを含む記憶部分５０８、例えばＬＡＮカード、モデムなどのようなネットワークインタフェースカードを含む通信部分５０９は、Ｉ／Ｏインタフェース５０５に接続される。通信部分５０９は、例えばインタネットのようなネットワークを通じて通信処理を行う。ドライバ５１０も需要によってＩ／Ｏインタフェース５０５に接続される。着脱可能な媒体５１１、例えば磁気ディスク、コンパクトディスク、磁気コンパクトディスク、半導体メモリなどは、需要によってドライバ５１０に設けられて、それから読み取ったコンピュータプログラムが需要によって記憶部分５０８にインストールされるようにする。
【００９６】
特に、本開示の実施例によると、上記でフローチャートを参照しながら記述した過程は、コンピュータソフトウェアプログラムとして実現されることができる。例えば、本開示の実施例は、コンピュータプログラム製品を含み、それには、コンピュータ読取り可能な媒体にローディングされているコンピュータプログラムが含まれ、上記コンピュータプログラムは、フローチャートに図示された方法を実行するためのプログラムコードを含む。このような実施例において、当該コンピュータプログラムは、通信部分５０９を介してネットワークからダウンロードされてインストールされるか、及び／または着脱可能な媒体５１１からインストールされることができる。当該コンピュータプログラムが中央処理装置（ＣＰＵ）５０１により実行される場合、本出願の方法において限定した上記機能を実行する。
【００９７】
説明すべきなことは、本出願において記述されたコンピュータ読取り可能な媒体は、コンピュータ読取り可能な信号媒体、またはコンピュータ読取り可能な記憶媒体、または上記両者のいずれの組み合わせであってもよい。コンピュータ読取り可能な記憶媒体は、例えば、電気、磁気、光、電磁気、赤外線または半導体のシステム、装置または素子、または上記媒体のいずれの組み合わせであってもいいが、これに限定されない。コンピュータ読取り可能な記憶媒体のより具体的な例は、一つまたは複数の導線を有する電気的接続、携帯式コンピュータディスク、ハードディスク、ＲＡＭ、ＲＯＭ、ＥＰＲＯＭまたはフラッシュメモリ、光ファイバー、携帯式コンパクト磁気ディスクローム（ＣＤ−ＲＯＭ）、光記憶素子、磁気記憶素子または上記メモリのいずれの適切な組み合わせを含んでもいいが、これに限定されない。本出願において、コンピュータ読取り可能な記憶媒体は、プログラムを含むか記憶するいずれかの有形媒体であってもよく、当該プログラムは、命令実行システム、装置または素子により使用されるか、またはそれと組み合わせて使用されることができる。一方、本出願において、コンピュータ読取り可能な信号媒体は、ベースバンドまたはキャリアの一部として伝播されるデータ信号に含まれてもよく、その中には、コンピュータ読取り可能なプログラムコードがローディングされている。このように伝播されるデータ信号は、いろいろな形を採用することができ、電磁気信号、光信号または上記信号のいずれの適切な組み合わせを含むが、これに限定されない。コンピュータ読取り可能な信号媒体は、さらにコンピュータ読取り可能な記憶媒体以外のコンピュータ読取り可能ないずれかの媒体であってもよく、当該コンピュータ読取り可能な媒体は、命令実行システム、装置または素子により使用されるかまたはそれと組み合わせて使用されるプログラムを送信、伝播または伝送することができる。コンピュータ読取り可能な媒体に含まれるプログラムコードは、いずれかの適切な媒体で伝送することができ、無線、電気線、光ケーブル、ＲＦなど、または上記媒体のいずれかの適切な組み合わせを含むが、これに限定されない。
【００９８】
図面におけるフローチャートとブロック図は、本出願の各種の実施例に係るシステム、方法とコンピュータプログラム製品の実現可能な体系構造、機能と操作を示す。この点で、フローチャートまたはブロック図における各フレームは、一つのユニット、プログラムセグメントまたはコードの一部を代表することができ、上記ユニット、プログラムセグメントまたはコードの一部は、所定の論理機能を実現するための一つまたは複数の実行可能命令を含む。なお、留意すべきなことは、一部の切り替え実現において、フレームに表記された機能は、図面に表記された順番と異なる順番で発生してもよい。例えば、引き継いで表示された二つのフレームは、実際に基本的に同時に実行されてもよく、反対する順番で実行される場合もあり、これは、言及される機能により決められる。また、留意すべきなことは、ブロック図、及び／またはフローチャートにおける各フレーム、ブロック図、及び／またはフローチャートにおけるフレームの組み合わせは、所定の機能または操作を実行するための専門の、ハードウェアによるシステムにより実現されるか、または専門のハードウェアとコンピュータ命令の組み合わせによって実現されてもよい。
【００９９】
本出願に記述した実施例において言及されたユニットは、ソフトウェアの方式で実現されてもよく、ハードウェアの方式で実現されてもよい。記述されたユニットは、プロセッサに設けられてもよく、例えば、プロセッサは、シソーラス、情報受信ユニット、候補項取得ユニット、及び関連関係表示ユニットを含む、と記述してもよい。ここで、これらのユニットの名称は、いずれの場合にも当該ユニット自身に対する限定を構成せず、例えば、シソーラスユニットは、「情報と候補項の対応関係を記憶するユニット」と記述されてもよい。
【０１００】
一方、本出願は、非揮発性コンピュータ記憶媒体をさらに提供し、当該非揮発性コンピュータ記憶媒体は、上記実施例において上記装置に含まれている非揮発性コンピュータ記憶媒体であってもよく、単独に存在して端末に設けられていない非揮発性コンピュータ記憶媒体であってもよい。上記非揮発性コンピュータ記憶媒体には、一つまたは複数のプログラムが記憶されており、上記一つまたは複数のプログラムが一つの機器により実行される場合、上記機器が、ユーザが入力した情報を受信し、入力した情報に基づきシソーラスにおいて検索を行って、入力された情報に対応する候補項を取得し、候補項を表示し、且つ、現在選択された候補項の関連情報を表示するようにする。
【０１０１】
以上の記述は、ただ本出願の比較的好ましい実施例、及び応用する技術原理に対する説明である。当業者は、本出願の発明の範囲が上記技術的特徴の特定の組み合わせからなる技術案に限定されないとともに、上記発明の趣旨を離脱しない状況で、上記技術的特徴または均等特徴を任意に組み合わせて形成される他の技術案も含むべきである、ということを理解すべきである。例えば、上記特徴と本出願において開示された（しかし、これに限定されない）類似な機能を有する技術的特徴を互いに切り替えて形成される技術案を含むべきである。
【図１】
2018198043.tif 000017
【図２】
2018198043.tif 000018
【図３】
2018198043.tif 000019
【図４】
2018198043.tif 000020
【図５】
2018198043.tif 000021
【外国語明細書】
2018198043000001.pdf